(57)【要約】【課題】技術的困難性を伴わず、比較的安価な梱包機械でラップラウンド型段ボール箱と同様な使い方ができるＡ型段ボール箱を提供する。【解決手段】上下に外フラップ４を有する長さ面１と上下に内フラップ５を有する幅面２とから構成される段ボール箱の幅面２に、該幅面２に開口部９を形成するための開口用切断線７を備える。開口用切断線７を略コ字形状としてほぼ背合わせにすると共に幅面２のほぼ中央に箱を周方向に切り裂くための略Ｉ字形状をした切れ込み６を設け、該切れ込み６の横幅方向の切込線６ａが開口用切断線７の横幅方向の切断線７ａの一部となるようにする。【選択図】図１
2005035609.tif 000002
【特許請求の範囲】
【請求項１】
上下にフラップを備えた４つの側面を有する段ボール箱であって、
少なくとも前記側面の一つに、開口部を設けるための開口用切断線を備えたことを特徴とする段ボール箱。
【請求項２】
前記開口用切断線は、その切断により上下に開かれるフラップを形成することを特徴とする請求項１に記載の段ボール箱。
【請求項３】
側面に箱を周方向に引き裂くための略Ｉ字形状をした切れ込みを備え、当該切れ込みの横幅方向の切込線が前記開口用切断線の横幅方向の切断線の一部をなしていることを特徴とする請求項２に記載の段ボール箱。
【請求項４】
前記切れ込みの高さ方向の切込線を横断して、箱の内面周方向にカットテープが貼付されたことを特徴とする請求項３に記載の段ボール箱。
【発明の詳細な説明】
【技術分野】
【０００１】
本発明は段ボール箱、特に缶ジュースや缶コーヒー、いわゆるペットボトル入りドリンクなど缶入り飲料の包装に適した段ボール箱に関する。
【背景技術】
【０００２】
商品の運搬等に用いられる段ボール箱として、図６に示すいわゆるＡ型タイプと図７に示すいわゆるラップラウンドタイプが例示される。Ａ型タイプの段ボール箱（以下「Ａ型段ボール箱」と称する。）は、天面および底面が開放されるものであって、長さ面１０１および幅面１０２の上下にフラップ１０３を有する。なお、本明細書においては、段ボール箱の側面を構成する４つの面のうち、横幅方向の長い方を長さ面１０１とし、短い方を幅面１０２として説明する。Ａ型段ボール箱への梱包は、あらかじめ底面が組み立てられた状態の箱に、一定の形に集積した商品を充填することにより行われる（例えば図１参照）。
【０００３】
ラップラウンドタイプの段ボール箱（以下「ラップラウンド型段ボール箱」と称する。）は、Ａ型段ボール箱とは異なり、天面（および底面）１１１および高さ面１１２の上下にフラップ１１３を有する。このラップラウンド型段ボール箱への梱包は、展開された段ボールに、一定の形に集積した商品を配置し、それを包み込むことにより行われる。
【０００４】
缶ジュースやペットボトルの梱包には、通常、ラップラウンド型段ボール箱が使用される。開封後、箱の中に商品を残した状態で保管する際のスペースがＡ型段ボール箱に比べて小さくなるからである。
【特許文献１】特開平３−２５６８４０号公報
【発明の開示】
【発明が解決しようとする課題】
【０００５】
しかしながら、ラップラウンド型段ボール箱への梱包は、その複雑な動作のために自動梱包装置が高価であって、梱包コストが高くなる。また、Ａ型段ボール箱を使用しようとするならばジュース缶を寝かした状態で梱包しなければならず、梱包に技術的な困難性があった。
【０００６】
本発明は、上記従来技術の問題点に鑑みてなされたものであって、その目的とするところは、技術的困難性を伴わず、比較的安価な梱包機械でラップラウンド型段ボール箱と同様な使い方が可能なＡ型段ボール箱を提供することにある。
【課題を解決するための手段】
【０００７】
本発明に係る段ボール箱は、上下にフラップを備えた４つの側面を有する段ボール箱であって、少なくとも前記側面の一つに、開口部を設けるための開口用切断線を備えたことを特徴としている。
【０００８】
また、本発明に係る段ボール箱は、上記段ボール箱において、前記開口用切断線は、その切断により上下に開かれるフラップを形成することを特徴としている。
【０００９】
さらに、本発明に係る段ボール箱は、上記上下に開かれるフラップが形成される段ボールにおいて、側面に箱を周方向に引き裂くための略Ｉ字形状をした切れ込みを備え、当該切れ込みの横幅方向の切込線が前記開口用切断線の横幅方向の切断線の一部をなしていることを特徴としている。
【００１０】
そして、本発明に係る段ボール箱は、前記切れ込みの高さ方向の切込線を横断して、箱の内面周方向にカットテープが貼付されたことを特徴としている。
【発明の効果】
【００１１】
本発明の段ボール箱は、上下にフラップを備えた４つの側面を有する段ボール箱であって、少なくとも前記側面の一つに、開口部を設けるための開口用説段線を備えているので、いわゆるＡ型段ボール箱と同じ梱包装置で商品の梱包ができ、最も小さな側面を上に開口した状態で保管することができる。こうして、技術的困難性を伴わずに、ラップラウンド型段ボール箱と同様な使い方が可能な梱包形態を安価に提供できる。
【００１２】
特に、切断によって上下に開かれるフラップが形成されるように開口用切断を備えるとともに、側面に箱を周方向に引き裂くための略Ｉ字形状をした切れ込みを備え、当該切れ込みの横幅方向の切込線が前記開口用切断線の横幅方向の切断線の一部をなす段ボール箱では、切れ込みに指を入れて、箱を左右に引き裂くことが容易になる。
【００１３】
そして、カットテープを切れ込みの高さ方向の切込線を横断して、箱の内面周方向に貼付された段ボールにあっては、カットテープの引き裂きによって、箱を上下に開くこともできる。
【００１４】
このように本発明の段ボール箱は、省スペースでの保管および使い勝手に優れた梱包形態を、低コストで提供する。
【発明を実施するための最良の形態】
【００１５】
以下、各図を参照しながら本発明について説明する。図１は本発明に係る段ボール箱の梱包時における斜視図、図２は当該段ボール箱の開封時における斜視図、図３は該段ボール箱を展開した時の裏面平面図である。
【００１６】
当該段ボール箱は、いわゆるＡ型と呼ばれる段ボールの基本形状を有している。この段ボール箱では、長さ面１とそれよりも横幅の小さな幅面２が交互に連接され、幅面２の開放端側に継ぎしろ３が備えられている。２つの長さ面１はその上下に外フラップ４を有し、２つの幅面２はその上下に内フラップ５を有している。長さ面１および幅面２の高さは、梱包される商品の高さ、例えばジュース缶やコーヒー缶、ペットボトルの高さに合わせられる。段ボール箱の大きさとして、例示すれば、長さ面１の長さ（横長方向）は３２０〜４３０ｍｍ、幅面２の長さ（同）１７０〜２９０ｍｍ、高さは１０９〜２７０ｍｍである。もちろん、本発明の段ボール箱の大きさはこの範囲に限定されるものではない。なお、図面中、一点鎖線はフラップの折り曲げ位置を示す。
【００１７】
段ボール箱の長さ面１および幅面２には、その略中央にＩ字形状をした切れ込み６が設けられている。この切れ込み６に指を入れて左右に引き裂き、段ボール箱を上下に切り開くことができる。この切れ込み６は、後に説明するカットテープ８とともに、開口用切断線７の位置など実施態様に応じて備えられるものである。なお、図示する段ボール箱では後述のごとく、幅面２に開口部９を形成するためには切れ込み６があるのが好都合である。
【００１８】
本発明の段ボール箱は、幅面２に開口部９を形成するための開口用切断線７（各図では長鎖線で示される。）を備えている。この開口用切断線７は、開封の際、手で容易に切り裂けるように、いわゆるミシン線などから構成されている。開口用切断線７は少なくとも一つの幅面２に設けられる。
【００１９】
図１〜図３に示す開口用切断線７は略コ字形状をしている。そして、２つの開口用切断線７は、上下にコの字の口を開けるようにして、少しの間隔を空けて互いに背合わせにして備えられている。この開口用切断線７を切断すれば、幅面２を上下に開口する２枚の開口用フラップ１０が形成される。開口用フラップ１０は、頂点部分が作業者を傷付けないように、面取した形状とすることが好ましい。
【００２０】
幅面２にある切れ込み６は、その横幅方向の切込線６ａが、開口用切断線７の横幅方向の切込線７ａと重なり合うように設けられ、開口用切断線７の一部を成している。切れ込み６からの引き裂きと同時に開口用フラップ１０の下端が形成される。つまり、この切れ込み６は、開口用切断線７を切り裂くきっかけともなっている。切込線６ａの長さは、例えば１０ｍｍ〜５０ｍｍ、好ましくは２０ｍｍ〜３０ｍｍとする。
【００２１】
さらに、長さ面１および幅面２の内面にはカットテープ８が箱の周方向に、切れ込み６（正確には、その高さ方向の切込線６ｂ）を横断して貼付されている。このカットテープ８は、指を入れた切れ込み６からの周方向への連続した引き裂きを容易にする。
【００２２】
梱包時、図１に示すようにあらかじめ底面が組み立てられた状態で、梱包装置に供給された後、段ボール箱の高さ（深さ）方向にジュース缶が整列された状態で充填される。開封時には、幅面２にある切れ込み６から指を入れて長さ面１および幅面２を左右引き裂く。それと同時に開口用切断線７の横幅方向の切込線７ａが切り開かれる。そして、開口用切断線７の残る部分（その高さ方向の切込線７ｂ）を切り開いて開口用フラップ１０を作り、それを上下に広げて、図２に示すように開口部９を作る。なお、開口用フラップ１０を作った後に残る切込線７ａで挟まれたスリップ片の幅と、切込線７ｂと幅面２の短辺との幅は、好ましくは略等しい幅とする。
【００２３】
この段ボール箱は、いわゆるＡ型タイプであるため、あらかじめ底面が組み立てられた状態で商品を充填、梱包できるので、比較的安価な梱包装置を使用できる。また、梱包開封時には、幅面２を上にして開封することができるので、商品が残った状態で保管スペースを最も小さくすることができる。上記開口用切断線７は、切れ込み６と同時に形成できるため、製造工程が複雑になることもない。このように、従来のラップラウンドタイプの段ボール箱と同様な保管が可能な梱包形態を低コストで提供できる。
【００２４】
また、略Ｉ字形状をした切れ込み６の横幅方向の切込線６ａが開口用切断線７（その横幅方向の切込線７ａ）の一部をなしているので、この切れ込み６が開口用切断線７を引き裂くきっかけともなり、指での開封が容易になる。この実施形態では、カットテープ８が左右への引き裂きを確実なものにしているが、カットテープ８が無くとも、開口用切断線７に沿って周方向への引き裂きを確実なものする。
【００２５】
本発明における開口用切断線７は、開封時に横面２に開口部９を形成できればどのような形状のものでもよい。例えば、図４に示す段ボール箱では、幅面２の周囲に沿う略コの字形状をした開口用切断線７が形成されている。この開口用切断線７の切断により、幅面２を開口する開口用フラップ１０（図中破線で示される。図５においても同様。）が形成される。
【００２６】
また、図５に示す段ボール箱では、幅面略コの字形状をした２つの開口用切断線７が隙間なく背合わせに形成されている。この開口用切断線７の切断により、幅面２を上下に開口する２枚の開口用フラップ１０が形成される。この形態では、開口用切断線７の横幅方向の切込線７ａがカットテープ８の機能を果たすため、幅面２にはカットテープ８は不要になる。
【００２７】
そして、図４、図５に示す段ボールにおいては、開口用切断線７の切り裂きのきっかけとして、幅面２には開口用切断線７と交差する略円形状もしくは略半円形状をした切欠き１１が備えられる。この切欠き１１に指を入れれば、至極簡単に幅面２に開口部９を形成できる。
【産業上の利用可能性】
【００２８】
本発明を利用して、缶ジュースを梱包する段ボール箱を安価に利用できる。
【図面の簡単な説明】
【００２９】
【図１】本発明の一実施形態に係る段ボール箱の梱包時における斜視図である。
【図２】同上の段ボール箱の開封時における斜視図である。
【図３】同上の段ボール箱を展開した時の裏面平面図である。
【図４】本発明の別な実施形態に係る段ボール箱の斜視図である。
【図５】本発明のさらに別な実施形態に係る段ボール箱の斜視図である。
【図６】従来例であるＡ型段ボール箱の斜視図である。
【図７】別な従来例であるラップラウンド型段ボール箱の斜視図である。
【符号の説明】
【００３０】
２  幅面
４  外フラップ
６  切れ込み
６ａ  切れ込みの横幅方向の切込線
７  開口用切断線
７ａ  開口用切断線の横幅方向の切込線
８  カットテープ
９  開口部
１０  開口用フラップ
２０  ジュース缶
【図１】
2005035609.tif 000003
【図２】
2005035609.tif 000004
【図３】
2005035609.tif 000005
【図４】
2005035609.tif 000006
【図５】
2005035609.tif 000007
【図６】
2005035609.tif 000008
【図７】
2005035609.tif 000009